(57)【要約】    【課題】  床面を優れた外観に仕上ることができ、しかも防水性に優れた床仕上構造と、施工性が良い床仕上方法の提供を課題とする。    【解決手段】床下地の上に、複数並べた矩形状の床仕上材を前記床下地に固定することにより床の仕上げを行う床仕上構造であって、前記床仕上材は、その隣接する二側面に側方に突出するさねを有するとともに、残る二側面に凹部を有し、隣接する床仕上材は、一方の床仕上材のさねを他方の床仕上材の凹部の嵌合することにより複数の床仕上材を接合するさね矧ぎを構成するとともに、上に向け開口する連続した格子状の目地溝を形成し、該目地溝内に目地材を充填したことを特徴とする床仕上構造、および前記床仕上構造を施工する方法であって、床下地の上に、複数の床仕上材を並べる床仕上材敷設工程と、前記目地溝の底部から、さね又は凹部を貫通する固着具を床下地に打ち込むことにより床仕上材を床下地に固定する床仕上材固定工程と、前記目地溝に、目地材を充填する目地材充填工程とを含むことを特徴とする床仕上方法。【選択図】  図２
2005264563.tif 000002
【特許請求の範囲】
【請求項１】
矩形状の床仕上材を、床下地上に複数並べ固定した床仕上構造であって、
前記床仕上材は、隣接する二側面に側方に突出するさねを有するとともに、残る二側面に凹部を有し、
隣接する床仕上材は、一方の床仕上材のさねを他方の床仕上材の凹部の嵌合することにより複数の床仕上材を接合するさね矧ぎを構成するとともに、その間に上に向け開口する目地溝を形成し、
前記目地溝は、その内部に目地材を充填したことを特徴とする床仕上構造。 
【請求項２】
前記床仕上材は、その表面の模様が縦方向に配された床仕上材と、横方向に配された床仕上材とを、交互に配置することを特徴とする請求項１記載の床仕上構造。
【請求項３】
前記目地溝は、その下部の幅が上部の幅よりも大きく形成され、
前記目地材は、目地溝から脱落することがないようその下部が幅方向に広がって充填されたことを特徴とする請求項１又は２記載の床仕上構造。
【請求項４】
前記目地溝は、床仕上材のさねを形成した側面において、該さねよりも上の部分を後退して形成することにより設けたことを特徴とする請求項１〜３のいずれかに記載の床仕上構造。
【請求項５】
前記目地溝は、床仕上材の凹部を形成した側面において、該凹部よりも上の部分を後退して形成することにより設けたことを特徴とする請求項１〜３のいずれかに記載の床仕上構造。
【請求項６】
前記目地溝は、床仕上材の上面縁部に段部を形成することにより設けたことを特徴とする請求項１〜３のいずれかに記載の床仕上構造。
【請求項７】
前記目地材は、目地溝が拡縮する際、目地材の底部が目地切れを起すことを防ぐため、目地溝の両側面に接着し、目地溝の底面とは接着されていないことを特徴とする請求項１〜６のいずれかに記載の床仕上構造。
【請求項８】
前記床仕上構造を施工する方法であって、
床下地の上に、複数の床仕上材を並べる床仕上材敷設工程と、
前記目地溝の底部から、固着具を床下地に打ち込むことにより床仕上材を床下地に固定する床仕上材固定工程と、
前記目地溝に、目地材を充填する目地材充填工程とを含むことを特徴とする床仕上方法。 
【発明の詳細な説明】
【技術分野】
【０００１】
本発明は、木質の床仕上材を用い、床仕上面の見栄えを高め、しかも防水性に優れた床仕上構造と、施工性に優れた床仕上方法に関する。
【背景技術】
【０００２】
従来、住宅、店舗、オフィスなどの床面を、木質のフローリング材を用いて仕上げる場合、図１１に示すように、例えば幅９００ｍｍ、長さ１８００ｍｍ程度の尺モジュールに形成された木製床材２１を用いている。この種木製床材２１は、合板、パーティクルボードなどの基板２２に、樹脂製の化粧シートを用いた化粧層２３を添着して形成され、その表面は、幅方向は中央、長さ方向は４５０ｍｍ間隔に設けられた断面Ｖ字状で１〜２ｍｍ程度の小幅の溝により形成された格子状の目地模様２４が設けられている。また、前記木製床材２１の取付けに際しては、図１０に示すように、位置決めされた木製床材２１の一側に形成したさね２６の基部から床下地２５に向け釘２７を打ち込むことにより該木製床材２１を固定している。次いで隣接して取付ける木製床材２１の向き合う側面に形成された凹部２８を、前記固定された木製床材２１のさね２６に嵌合し、反対の側面のさね２６を前記と同様、釘２７により床下地２５に固定している。以下これを繰り返すことにより、全ての木製床材２１が固定される。或いは、専用の取付金具を用いて木製床材２１を固定している。（例えば、特許文献１参照。）。
【０００３】
【特許文献１】特開２０００−１４５１０５号公報
【発明の開示】
【発明が解決しようとする課題】
【０００４】
しかしながら、前記化粧層２３は、印刷された模様が、小幅の目地模様２４を挟んで連続するため、樹脂製のプリント化粧シートを添着していることがハッキリ目視で確認でき、意匠性を損ねていた。そして隣接する木製床材２１間においても、該木製床材２１の縁部に設けた面取り２９により形成され、前記目地模様２４と同じ形状で小幅の溝３０を隔て、化粧シートが続くため、重厚感を欠くという問題があった。或いは化粧層２３に突き板を使用する場合も、折角自然素材を使いながら、目地模様２４を挟んで木目模様が連続するため、天然素材の持つバラツキ感を欠き、意匠性に限界があった。
【０００５】
また隣接する木製床材２１, ２１相互は、さね２６を凹部２８に嵌合して構成するさね矧ぎで接合しているが、洗面所、脱衣場、台所などの水周り箇所では、床上に滴下した水が接合部から浸入して床下地２５を濡らし、蒸発しにくいため湿潤状態が継続し、床下地２５の腐れ、シロアリの発生を招いて耐久性を低下させることがあった。
【０００６】
また、これら従来の木製床材２１を床下地２５に敷設する際、前記のように、木製床材２１毎にそのさね２６の基部を、その都度釘２７で固定したあと、隣接する木製床材２１の凹部２８を嵌合する作業を繰り返す必要があるため、作業能率が悪く、さらに端から順次釘２７で固定してゆくため、釘２７による固定位置のズレ、各種寸法誤差が累積し、その結果後で固定する木製床材２１の取付け位置が狂うという問題があった。
【０００７】
本発明は、前記した問題点を解消し、床仕上面の意匠性を高め、しかも防水性に優れた床仕上構造と、施工性が良い床仕上方法の提供を課題としている。
【課題を解決するための手段】
【０００８】
前記目的を達成するために、請求項１記載の発明は、矩形状の床仕上材を、床下地上に複数並べ固定した床仕上構造であって、前記床仕上材は、隣接する二側面に側方に突出するさねを有するとともに、残る二側面に凹部を有し、隣接する床仕上材は、一方の床仕上材のさねを他方の床仕上材の凹部の嵌合することにより複数の床仕上材を接合するさね矧ぎを構成するとともに、その間に上に向け開口する目地溝を形成し、前記目地溝は、その内部に目地材を充填したことを特徴とする。
【０００９】
また請求項２記載の発明は、前記床仕上材は、その表面の模様が縦方向に配された床仕上材と、横方向に配された床仕上材とを、交互に配置することを特徴とする請求項１記載の床仕上構造である。
【００１０】
また請求項３記載の発明は、前記目地溝は、その下部の幅が上部の幅よりも大きく形成され、前記目地材は、目地溝から脱落することがないようその下部が幅方向に広がって充填されたことを特徴とする請求項１又は２記載の床仕上構造である。
【００１１】
また請求項４記載の発明は、前記目地溝は、床仕上材のさねを形成した側面において、該さねよりも上の部分を後退して形成することにより設けたことを特徴とする請求項１〜３のいずれかに記載の床仕上構造であり、請求項５記載の発明は、前記目地溝は、床仕上材の凹部を形成した側面において、該凹部よりも上の部分を後退して形成することにより設けたことを特徴とする請求項１〜３のいずれかに記載の床仕上構造であり、また請求項６記載の発明は、前記目地溝は、床仕上材の上面縁部に段部を形成することにより設けたことを特徴とする請求項１〜３のいずれかに記載の床仕上構造である。
【００１２】
また請求項７記載の発明は、前記目地材は、目地溝が拡縮する際、目地材の底部が目地切れを起すことを防ぐため、目地溝の両側面に接着し、目地溝の底面とは接着されていないことを特徴とする請求項１〜５のいずれかに記載の床仕上構造である。
【００１３】
また請求項８記載の発明は、前記床仕上構造を施工する方法であって、床下地の上に、複数の床仕上材を並べる床仕上材敷設工程と、前記目地溝の底部から固着具を床下地に打ち込むことにより床仕上材を床下地に固定する床仕上材固定工程と、前記目地溝に、目地材を充填する目地材充填工程とを含むことを特徴とする床仕上方法である。
【発明の効果】
【００１４】
本発明の床仕上構造は、叙上の如く構成しているため、一つ一つの床仕上材の表面が、目地材を充填した目地溝を隔てて配される結果、各々分離独立して認識され、これにより外観に重厚感が加わり、見栄えが向上する。しかも、さね矧ぎにより連結された接合部が目地材でシールされるため、洗面所、台所、洗面所などで、表面に水が滴下しても前記接合部から浸入することがなく、床下地の腐れ、シロアリの発生を防止し、耐久性を高めることができる。
【００１５】
また請求項２記載の発明のように、表面の模様が縦方向に配された床仕上材と、横方向に配された床仕上材とを交互に配置すると、表面仕上に変化が生まれて、天然のバラツキを再現することができ、しかも市松模様を構成するため、意匠性を更に高めることができる。
【００１６】
請求項３の発明のように、目地溝を下部の幅が上部の幅よりも大きく形成する場合には目地材の脱落を防止できる。さらに請求項４の発明のように、さねよりも上の部分を後退して目地溝を形成することができ、また請求項５の発明のように、床仕上材の凹部よりも上の部分を後退して目地溝を設け、或いは請求項６の発明のように、床仕上材の上面縁部に段部を形成することにより目地溝を設けると、固着具による床仕上材の固定強度を安定化できる。
【００１７】
また請求項７の発明のように、目地材が目地溝の両側面に接着し、底面とは接着されていない場合、床仕上材の伸縮などに基づく目地幅の増減に対して、目地材の弾性力で追従できるため、目地材の亀裂の発生を防止しうる。
【００１８】
また請求項８の床仕上方法は、複数の床仕上材を並べる床仕上材敷設工程と、目地溝の底部から、固着具を床下地に打ち込むことにより床仕上材を床下地に固定する床仕上材固定工程と、目地材を充填する目地材充填工程とを含むことを特徴とし、床仕上材を並べた後でまとめて目地溝から固着具を打ち込んで固定するため、作業能率が向上し、また仮に並べた床仕上材の相互の位置調整を行うことができるため、床仕上材を整然と配置固定でき、外観を向上しうる。
【発明を実施するための最良の形態】
【００１９】
以下、本発明の実施の一形態を、図示例とともに説明する。図１は本発明の床仕上構造の斜視図、図２はその要部拡大断面斜視図、図３は床仕上材の斜視図である。本発明の床仕上構造１は、図１、２に示すように、床下地２と、該床下地２の上に固定された、矩形状をなす複数の床仕上材３とを具える。
【００２０】
前記床下地２は、本形態では、床構造材である大引きに一定間隔で固定することにより隔設された根太２Ａと、該根太２Ａ上に敷設された床下地板２Ｂとからなり、該床下地板２Ｂは、合板、パーティクルボード、押出しセメント板等が用いられる。また前記床下地２は、床下地板２Ｂを敷設することなく、根太２Ａのみで構成されることもあり、さらに、ＲＣ造の建築物においては、コンクリートスラブ上に形成された木組みと、該木組みの上に敷設された合板とで床下地２を構成する。
【００２１】
前記床仕上材３は、図３に示すように、平面視で正方形、又は長方形をなし、隣接するニ側面の高さ中央で側方に向け突出するさね４を設け、残るニ側面に、接合する相方の床仕上材３の前記さね４が嵌合しうる溝状の凹部５を設けている。
【００２２】
また前記床仕上材３は、一辺の長さが例えば１５〜６０ｃｍ、好ましくは３０〜４５ｃｍ、本例では３０ｃｍで、平面正方形に形成されている。一辺の長さが６０ｃｍを越えると、一枚の床仕上材３の重量が過大となって施工性が低下し、隣接する床仕上材３の間で形成される目地溝のピッチが大きくなるため見栄えが損なわれ、１５ｃｍ未満では、床仕上材３の固定作業の工数が増加するため施工性が低下する。そして、厚さは、例えば０．９〜１．５ｃｍ、本例では１．２ｃｍに形成されている。厚さが１．５ｃｍを越えると、床仕上材３の重量が過大となって施工性が低下し、０．９ｃｍ未満では、床仕上材３に反りが生じて仕上げの見栄えが損なわれるとともに遮音性が不足する。
【００２３】
前記床仕上材３は、本形態では図２に示すように、基層３Ａと該基層３Ａ上に添着された化粧層３Ｂとからなり、前記基層３Ａは、合板、ＭＤＦ( 中密度繊維板) 、パーティクルボード、集成材などの木質材を用いて形成される。また前記化粧層３Ｂは、ポリエチレン、ポリプロピレン、エチレン酢ビ樹脂（ＥＶＡ）などのオレフィン系樹脂、メラミン樹脂、ポリエステル樹脂その他の樹脂シートを添着して形成されるほか、ナラ、サクラ、チーク、ケヤキ、トチ、セン、カバ等の原木を機械的に例えば０．２〜０．６ｍｍ程度の厚さにスライスした突板をメラミン・ユリア共縮合接着剤、フェノール系接着剤、アミノ系接着剤、ユリア系接着剤で接着し、またその上に塗装を施して形成される。この他前記化粧層３Ｂは、前記基層３Ａに化粧板用の化粧紙を接着した上に、不飽和ポリエステル樹脂を塗布して形成し、また基層３Ａの表面をポリエステル樹脂、ポリウレタン樹脂、アミノアルキド樹脂、アクリル樹脂等で塗装して形成することもよい。
【００２４】
前記床仕上材３は、本形態では、その下面に吸音シート材３５が添着され、該吸音シート材３５を介して床下地２に取り付けられるため、床遮音性に優れる点で好ましい。前記吸音シート材３５は、厚さ例えば０．２〜０．５ｃｍ程度のポリエチレンフォーム、ポリウレタンフォームなどを用いる。
【００２５】
また前記床仕上材３は、その複数枚を前記床下地２に固定する際、一方の床仕上材３のさね４を、隣接する他方の床仕上材３の凹部５に嵌合することにより接合し、所謂さね矧ぎＳを構成する。さらに、本形態では、床仕上材３のさね４を設けた側面において、前記さね４よりも上側の面ｆ１が下側の面ｆ２に比べて、内側に控えた位置に、後退して形成され、これにより隣接する床仕上材３, ３間に上に向け開口する目地溝６が形成される。しかも該目地溝６は、矩形状の床仕上材３が連続して敷設されるため格子状に形成される。その結果、床仕上材３の表面（化粧層３Ｂ）は、格子状の目地溝６により縦横に分離して配置され、表面の模様などが各々独立して認識されるため、意匠性がたかまるとともに重厚感を増し、見栄えを向上する。
【００２６】
さらに、前記床仕上材３は、図１に示すように、隣接して配される床仕上材３相互間で、例えば木目柄の模様の方向が縦横交互に配置されている。これにより外観に変化が生じ、市松模様を構成し、しかも天然、自然を感じさせるバラツキの要素を含んだ意匠が形成され、見栄えを高めることができる。また木目柄以外に、方向性のある幾何学的模様を、縦横交互に配置して、重厚感を高めることができる。
【００２７】
前記目地溝６は、その幅Ｗを例えば０．４〜０．７ｃｍ、本例では０．６ｃｍに形成される。０．７ｃｍを越えると目地溝６が広すぎ、間延びした外観となって見栄えを損ない、０．２ｃｍ未満では、目地材の充填が困難である。なお前記目地溝６の深さは、例えば０．３〜０．５ｃｍに形成される。
【００２８】
前記目地溝６は、その底部から床下地２に向け、釘９ａからなる固着具９が打ち込まれ床仕上材３が固定される。床仕上構造を構成する複数の床仕上材３を、前記さね矧ぎＳにより接合した後、目地溝６の空間から固着具９を一斉に打ち込めるため、施工性に優れる。さらに、固着具９による固定の前に、複数の床仕上材３の相互位置を確認調整できるため、前記各床仕上材３を配置バランスの整った正規の位置に固定しうる。
【００２９】
また、前記目地溝６は、その内部に目地材７が充填され閉塞される。そして、床仕上材３の接合部は目地材７により防水されるため、台所、洗面所、脱衣室、トイレなどの水廻りにおいて、水が滴下しても前記接合部から床下地２に浸入することがなく、床下地２の腐れ、金属部の錆、シロアリの発生が防止できる。前記目地材７は、例えば水の浸透を抑制する樹脂をベースとし、目地粒子を含むモルタル材以外の目地材などを好適に使用できる。
【００３０】
前記目地材７は、樹脂系シーリング材が好適に用いられ、図４に示すように、その底部にバックアップ材３４を介在して充填すると、目地溝６の底部とは接着されることなく、その両側部に対してのみ接着され、所謂三面接着が防止される。その結果、双方の床仕上材３の伸縮、床振動などに起因する目地幅の増減に対し、目地材７の目地幅方向の弾性力により追従し、目地材７に裂け目が生じる所謂目地切れを防止できる点で好ましい。
【００３１】
前記目地溝６は、図５に示すように、その下部の幅Ｗ１を上部の幅Ｗ２よりも１０〜３０％程度大きく形成すると、該目地溝６内に充填される目地材７は、その下部が幅方向に広がり、前記目地溝６は上部の開口側が狭いため、脱落、浮き上がりが防止でき、外観の維持、メンテナンスの簡易化が図れる点で好ましい。
【００３２】
図６に示す床仕上構造１は、さね矧ぎＳの異なる形態を例示し、床仕上材３の凹部５を設けた側面において、前記凹部５よりも上側の面が下側の面よりも後退して形成され、これにより隣接する床仕上材３, ３間に目地溝６が形成される。本形態では、目地溝６底部から床下地２に向けて打ち込む固着具９が、一方の床仕上材３のさね４と、相方の床仕上材３とを連続貫通して床下地２に打ち込まれるため、固着具９による固定強度が安定する点で好ましい。
【００３３】
図７に示す床仕上構造１は、更に異なる形態を例示し、床仕上材３の凹部５を設けた側の上面縁部を階段状に切欠いた段部８を設け、該段部８と相方の床仕上材３の側面とにより目地溝６を形成している。さね４は、目地溝６の一部を構成することなく、全面に亘り凹部５と嵌合するため、さね矧ぎＳの接合強度が安定する点で好ましい。
【００３４】
図８に示す床仕上構造１は、更に異なる形態を例示し、床仕上材３の凹部５を設けた側の上面縁部を階段状に切欠いた段部８を設け、該段部８と相方の床仕上材３の側面とで目地溝６を形成し、しかも床仕上材３の凹部５を形成した側面において該凹部５よりも下側部分５Ｄを上側部分５Ｕと同じ長さに形成している。これにより前記目地溝６底部から床下地２に向けて打ち込む固着具９は、一方の床仕上材３の凹部５の上側部分５Ｕと、下側部分５Ｄ、及びその間に嵌合された相方の床仕上材３のさね４とを連続貫通するため、固着具９による固定強度が安定する点で好ましい。
【００３５】
前記床仕上構造を施工するに際しては、先ず床仕上材敷設工程で、図９（Ａ）に示すように、床下地２上に一方の端に固定する床仕上材３をその正規の位置に裏面に接着剤を塗布して仮配置する。次いで図９（Ｂ）に示すように、前記床仕上材３のさね４に、隣接する床仕上材３の凹部５を嵌合することにより、前記床仕上材３を連続して仮配置する。この工程を順次繰り返すことにより、一端から全ての床仕上材３をさね矧ぎＳにより接合した状態で仮配置する。そして、全て床仕上材３の配置状態を確認し、必要な位置修正を行って全体のバランスを調整する。次いで床仕上材固定工程において、図９（Ｃ）に示すように、目地溝６の底から床下地２に向けて釘９ａからなる固着具９を打ち込んで全ての床仕上材３を固定する。最後に目地材充填工程で、図９（Ｄ）に示すように、目地溝６の内部に目地材７を充填する。このように、本発明の床仕上方法は、さね矧ぎＳにより仮接合し、仮配置された全ての床仕上材３の位置バランスの確認、調整の後で固定を行うため、床仕上材３は整然と配置され、見栄えを向上できる。しかも、固着具による固定は、前記調整の後で一斉に作業するため施工能率が向上する。
【図面の簡単な説明】
【００３６】
【図１】本発明の床仕上構造の一実施の形態を例示する斜視図である。
【図２】その要部拡大断面斜視図である。
【図３】前記実施形態に使用する床仕上材の斜視図である。
【図４】本発明の床仕上構造の異なる実施の形態を例示する断面図である。
【図５】本発明の床仕上構造の更に異なる実施の形態を例示する断面図である。
【図６】本発明の床仕上構造の更に異なる実施の形態を例示する断面図である。
【図７】本発明の床仕上構造の更に異なる実施の形態を例示する断面図である。
【図８】本発明の床仕上構造の更に異なる実施の形態を例示する断面図である。
【図９】本発明の床仕上方法の一実施の形態を例示する斜視図である。
【図１０】従来例を示す断面図である。
【図１１】従来例に使用する床仕上材の斜視図である。
【符号の説明】
【００３７】
１      床仕上構造
２      床下地
３      床仕上材
５      凹部
６      目地溝
７      目地材
８      段部
９      床仕上材敷設工程
１０      固着具
１１      床仕上材固定工程
１２      目地材充填工程
Ｓ      さね矧ぎ
【図１】
2005264563.tif 000003
【図２】
2005264563.tif 000004
【図３】
2005264563.tif 000005
【図４】
2005264563.tif 000006
【図５】
2005264563.tif 000007
【図６】
2005264563.tif 000008
【図７】
2005264563.tif 000009
【図８】
2005264563.tif 000010
【図９】
2005264563.tif 000011
【図１０】
2005264563.tif 000012
【図１１】
2005264563.tif 000013